(57)【要約】【課題】遊技盤を交換するに要するコストを軽減するとともに、遊技盤の裏側に電動演出装置等を収容するのに十分なスペースが確保されるようにする。【解決手段】筺体４０と、遊技盤２と、前面枠７０とを備え、筺体４０の内側縁に遊技盤２を交換する際にも同時に交換する必要がない球発射装置４９，球払出装置５５，電源装置５４等の交換不要部品を固設し、該筺体４０の背板部４０ａに液晶等の板状の電子表示装置６５を固設し、遊技盤２の前面に少なくとも可変入賞口１２を配設した遊技領域を形成し、該可変入賞口１２の開閉動を司る主制御基板２５が収容された封印ボックス２４を遊技盤２の下縁より下方に固設し、該封印ボックス２４の後方に電子表示装置６５の表示を制御する演出制御基板２７を設けてなる。【選択図】図４
2019080885.tif 000002
【特許請求の範囲】
【請求項１】
前面が開放された縦長矩形状の筺体と、該筺体の前面に交換可能なるように装着される遊技盤と、一側縁を前記筺体に軸支することにより開閉可能に設けられる前面枠とを備え、前記筺体の内側縁に前記遊技盤を交換する際にも同時に交換する必要がない球発射装置，球払出装置，電源装置等の交換不要部品を固設し、該筺体の背板部に前記遊技盤を通して視認し得る液晶等の板状の電子表示装置を固設し、前記遊技盤の前面に少なくとも可変入賞口を配設した遊技領域を形成し、該可変入賞口の開閉動を司る主制御基板が収容された封印ボックスを該遊技盤の下縁より下方に固設し、該封印ボックスの後方に前記電子表示装置の表示を制御する演出制御基板を設けてなることを特徴とする弾球遊技機。
【請求項２】
前記遊技盤よりも縦長の箱状であって前面が開口したケース体を形成し、前記遊技盤の背面を覆うように該ケース体を固着し、該ケース体の下縁部前面に前記封印ボックスを配設し、該封印ボックスの後方に前記電子表示装置の表示を制御する演出制御基板を設けてなることを特徴とした請求項１に記載した弾球遊技機。
【発明の詳細な説明】
【技術分野】
【０００１】
本発明は、液晶等の電子表示装置を具備したパチンコ遊技機，アレンジボール遊技機，雀球遊技機等の弾球遊技機に関するものである。
【背景技術】
【０００２】
一般にパチンコ遊技機等の弾球遊技機の遊技盤には、球誘導レールによって囲われた遊技領域に多数の釘、始動入賞口、可変入賞口、風車等が突設されているとともに、該遊技盤の中央部に形成された窓孔を通して視認できるようにギミックと称される電動式の演出装置や液晶等の表示装置が設けられ、さらに該表示装置の裏側に該演出装置の作動や該表示装置の表示を制御する演出制御基板を固着している。そして該遊技盤は交換可能に設けられ、例えば下記特許文献１乃至３に示されたパチンコ遊技機では、遊技機本体に遊技盤を着脱可能に固定するためのクランプ等の締着具が設けられ、該締着具を該遊技機の前面側から操作し、遊技盤を交換することで、遊技機がリニューアル（新装）されるようにしている。
【先行技術文献】
【特許文献】
【０００３】
【特許文献１】特許第５７６９９１７号公報
【特許文献２】特開２０１０−２２５９１号公報
【特許文献３】特開２０１１−１０７７７号公報
【発明の概要】
【発明が解決しようとする課題】
【０００４】
ところで、上記遊技盤は、盤面に描かれたキャラクタや図柄、および液晶等の表示装置に表示されるキャラクタ等の人気や流行に従い頻繁に交換されるが、例えば上記特許文献３の図１６０に示されたように、液晶等の表示装置が遊技盤に一体的に設けられ、さらに該表示装置の表示、および、電動演出装置を制御する演出制御基板を該表示装置の裏側に一体的に設けた構造であった。このため、遊技盤を交換する際に、高価で未だ十分に使用し得るにも拘わらず表示装置も遊技盤と同時に交換され廃棄されてしまうといった無駄が生じるとともに、リニューアルに要するコストが高くなるといった問題がある。なお、上記表示装置は、普通は遊技盤と演出制御基板の間に固着されているので、リサイクルしようとしても分解して表示装置のみを取り出すのが容易でないといった問題がある。
【０００５】
また、周知のようにパチンコ遊技機は全体の大きさが幅、奥行きともに一定以下に制限されているが、上記のように表示装置の裏側に演出制御基板を設けていると、該表示装置の前側のスペースが十分でなくなるので、遊技盤の裏側に大型の電動式演出装置等を設け得るような十分なスペースを確保できないという問題もある。
【課題を解決するための手段】
【０００６】
本発明に係る弾球遊技機は上記課題を解決しようとするもので、前面が開放された縦長矩形状の筺体と、該筺体の前面に交換可能なるように装着される遊技盤と、一側縁を前記筺体に軸支することにより開閉可能に設けられる前面枠とを備え、前記筺体の内側縁に前記遊技盤を交換する際にも同時に交換する必要がない球発射装置，球払出装置，電源装置等の交換不要部品を固設し、該筺体の背板部に前記遊技盤を通して視認し得る液晶等の板状の電子表示装置を固設し、前記遊技盤の前面に少なくとも可変入賞口を配設した遊技領域を形成し、該可変入賞口の開閉動を司る主制御基板が収容された封印ボックスを該遊技盤の下縁より下方に固設し、該封印ボックスの後方に前記電子表示装置の表示を制御する演出制御基板を設けてなることを特徴とする。
【０００７】
また、本発明は上記弾球遊技機において、前記遊技盤よりも縦長の箱状であって前面が開口したケース体を形成し、前記遊技盤の背面を覆うように該ケース体を固着し、該ケース体の下縁部前面に前記封印ボックスを配設し、該封印ボックスの後方に前記電子表示装置の表示を制御する演出制御基板を設けてなることを特徴とする。
【発明の効果】
【０００８】
遊技盤を交換するに際して電子表示装置を容易に再利用できるので、遊技盤交換に要するコストを軽減できる。また、遊技盤の裏側に十分なスペースが確保され、大型の電動式演出装置等を設けることも可能となる。
【図面の簡単な説明】
【０００９】
【図１】本発明に係る弾球遊技機の遊技盤の斜視図。
【図２】本発明に係る弾球遊技機の遊技盤の分解斜視図。
【図３】本発明に係る弾球遊技機の前面枠および遊技盤を開いた状態の斜視図。
【図４】本発明に係る弾球遊技機の縦断面図。
【図５】本発明に係る弾球遊技機の筺体の斜視図。
【図６】本発明に係る弾球遊技機の筺体の斜視図。
【図７】本発明に係る弾球遊技機の筺体に設けられる交換不要部品の分解斜視図。
【図８】本発明に係る弾球遊技機の払出球タンクと球払出装置の斜視図。
【図９】本発明に係る弾球遊技機の縦断面図。
【発明を実施するための形態】
【００１０】
次に本発明の実施形態を図面に従い説明する。先ず、遊技盤ユニット１の構成を図１〜図４に従い説明する。遊技盤ユニット１は、合成樹脂により板状に成形した遊技盤２と、該遊技盤２よりも縦長の箱状であって前面が開口したケース体３とを備えていて、該ケース体３の周縁部に形成されたボス孔３ａにビスを貫挿することにより該ケース体３が該遊技盤２の背面を覆うように固着される。該遊技盤２は、前面の外周部分に合成樹脂製の遊技球受枠４およびステンレス製の遊技球誘導レール５が固着され、該球受枠４および該レール５の内側の遊技領域に多数の釘６，風車７，入賞口８，通過チャッカー９，始動入賞口１０，普通入賞口１１，可変入賞口１２，アウト球排出口１３およびＬＥＤ電飾装置等が設けられる。なお、該各入賞口に入賞した遊技球は該遊技盤２の裏側に設けられた入賞球集合樋のセンサ（図示せず）によって入賞が検出される。
【００１１】
また、該遊技盤２の中央部に大きな開口１４が形成され、該開口１４の内周縁に装飾枠体１５が設けられる。また、該遊技盤２の裏側に円盤状体１６ａおよびその両側の動物形体１６ｂからなる電動式の演出装置１６が設けられ、該円盤状体１６ａおよび該動物形体１６ｂはモータの作動によって上下および左右に動くことで開口１４中に出没するとともに、該円盤状体１６ａが回転する状況が該開口１４を通して該遊技盤２の前面から遊技者に視認されるようにしている。
また、該遊技盤２の向かって左側縁の上下部に一対の軸受片１７ａ，１７ｂが突設される。
なお、上記の遊技領域における釘６，風車７，入賞口８，通過チャッカー９，始動入賞口１０，普通入賞口１１，可変入賞口１２等の配置、および装飾枠体１５，演出装置１６等の形状および構造は、遊技機の機種によって様々であるので、図２以下では図示を簡略にする。
【００１２】
また、ケース体３の上縁部の向かって右側に凹部１８ａが形成され、該凹部１８ａ上に払出球タンク１８が載置される。なお該払出球タンク１８には、整流樋１９が一体に形成され、該整流樋１９の下流端に開閉シャッタ２０を設けている。このため該払出球タンク１８に貯留された遊技球は開閉シャッタ２０が開くと整列状態で該整流樋１９の下流端から流出し得る。また、ケース体３の背板部の中央に前記開口１４と相対する同様の開口２１を形成する。また、該ケース体３の下方部３ｃは幅狭に形成されているとともに、該下方部３ｃの内容積を大きくできるように後方に段状に拡張されている。そして該下方部３ｃの両側縁にボス３ｄが形成される。
【００１３】
また、合成樹脂により横長板状に成形された組付板２２が前記ボス３ｄにビス止され、前記下方部３ｃの前側部に配置される。該組付板２２は、裏面に排出球ガイド板２３を固着することにより、上縁部に前記アウト球排出口１３と合致する枠状部２２ａが一体に形成され、該枠状部２２ａと連なる蛇行状排出路２３ａが該組付板２２の裏面に形成され、該蛇行状排出路２３ａの下端部２３ｂからアウト球が排出されるようになる。なお、該排出球ガイド板２３と隣接するようにセーフ球排出路（図示せず）が形成され、前記始動入賞口１０，普通入賞口１１，可変入賞口１２等の入賞口に入った入賞球も該アウト球と同様に該セーフ球排出路を通って機外に排出されるようになる。
【００１４】
また、該組付板２２の前面に合成樹脂製の封印ボックス２４がビス止される。該封印ボックス２４は前面を透明な合成樹脂板により形成することで内部が透視されるようにし、主制御基板（メイン基板）２５を該封印ボックス２４内に設けている。該主制御基板２５は、前記始動入賞口１０等の特定の入賞口に遊技球が入賞するとその入賞信号に応じて所定の確率で前記可変入賞口１２を開閉動させるといった制御をするなど、遊技者にとって有利または不利に拘わる重要な制御を司る。従って、該主制御基板２５は、予め実装された認証済みの正規のＲＯＭが他の不明なＲＯＭに交換するなどの不正な改造が行なわれていないかどうかといった検査を常に必要とする。なお、該封印ボックス２４の一側縁には封止ピン２６が設けられ、該封止ピン２６を破壊して該封印ボックス２４をいったん開けると、その痕跡が残るようにしている。このためＲＯＭが不正に交換されていると、封止ピン２６の状況からもこれが容易に判別される。
【００１５】
このように、可変入賞口１２の開閉動を司る主制御基板２５を収容した封印ボックス２４を遊技盤２の下縁より下方に固設したことで、該主制御基板２５は前方から視認できるようになる。このため該主制御基板２５に不正な改造が行なわれていないかどうかといった検査を後述する前面枠７０を開放するだけで容易に行なえるようにする。
【００１６】
また、ケース体３の下方部３ｃ内であって前記封印ボックス２４の後方には演出制御基板（サブ基板）２７を基板ケース２８に容れてビス止めすることにより固着する。なお、該演出制御基板２７は後述する電子表示装置６５の表示を制御するとともに、前記演出装置１６の作動を制御し、さらには遊技盤２に設けられたＬＥＤ電飾装置の点灯等を制御するなど、この遊技を盛り上げるための演出全般に係る制御をするものである点で前記主制御基板２５とは明確に区別される。
【００１７】
このように、遊技盤ユニット１は、主制御基板２５を収容する封印ボックス２４を遊技盤２の下縁より下方に固設しているとともに、該封印ボックス２４の後方に演出制御基板２７を設け、該遊技盤２の裏側に演出装置１６を設け、該遊技盤２の背面をケース体３によって覆ってなる。そして、リニューアル時に通常は該遊技盤ユニット１ごと遊技盤２を交換し得るようにしている。
【００１８】
次に遊技盤ユニット１を交換可能に組み込む筐体４０の構成を図５〜図７に従い説明する。筐体４０は遊技場の島台に固設し得るように前面が開口する縦長の矩形状なるように金属板をプレス加工することによりボックス状に成形され、その前面下縁部に幕板４１を固設し、後側下縁部には高さ調節可能なるようにネジ脚４２を設けている。なお、筐体４０の上辺部および下辺部には、釘を打ち込むことが可能な合板等の木片３９が設けられ、遊技場の島台に該筐体４０を釘によって固定し得るようにしている。
【００１９】
筐体４０の向かって左側縁の内面には一対の受金具４３ａ，４３ｂが固着され、該受金具の上面に前記軸受片１７ａ，１７ｂに貫挿し得る支軸４４ａ，４４ｂが突設され、該受金具４３ａ，４３ｂの少し後側には止片４５ａ，４５ｂが固着される。また、該筐体４０の右側縁寄りに遊技盤２を押さえるためのクランプ装置４６ａ，４６ｂが設けられる。なお、クランプ装置４６ｂと略々同高さに遊技盤２の下縁部に当接し得るように斜面状に形成されたガイド片４７が突設される。また、該筐体４０の向かって左側縁の上下部に軸受部材４８ａ，４８ｂが形成される。
【００２０】
また、筐体４０内の向かって左側下隅に前側から順に球発射装置４９とサブ中継基板５０と球貸機中継基板５１が固設される。５２は球発射装置４９を収容するために筐体４０内に固設された板金製箱体である。なお、サブ中継基板５０には前記演出制御基板２７を繋ぐためのコネクタ、および、後述する電子表示装置６５を繋ぐためのコネクタが設けられている。
また、筐体４０内の向かって右側下隅に前側から順にプラスチック製の透明な封印ボックス５３と電源装置５４が固設され、該封印ボックス５３内に球払出装置５５を制御する球払出制御基板５６が設けられる。また、該筐体４０内の向かって右側奥隅に縦長形状の球払出装置５５が固設される。該球払出装置５５は、上端面に流入口５５ａが形成され、該球払出装置５５の下端部に前方に伸びるように球払出樋５７が形成され、該球払出樋５７の下流前端に２つの球出口５９ａ，５９ｂが左右に並んで該筐体４０の前面部に露呈するように開口している。また、該球払出装置５５の上部に前記開閉シャッタ２０を開作動させる係合片５５ｂが固設される。また、該筐体４０の上縁奥部に前記払出球タンク１８の上面を開放する開口部１８ｃを形成すると共に、該開口部１８ｃの向かって左隣に外部通信用コネクタ６０が設けられる。６１は筐体４０の右側縁上部に固設した電源スイッチおよびヒューズが入った電源ボックスである。６２は筐体４０の両角部内面に設けられたリード線収納部材である。また、該筐体４０の右側縁の上下部に係合片６３ａ，６３ｂが設けられている。また、該係合片６３ａの直下に斜面状のガイド部材６４が設けられている。
【００２１】
そして、筐体４０の背板部４０ａの内面に液晶等の板状の電子表示装置６５をビス等の固着手段を用いて固設し、該電子表示装置６５の前面を前記開口１４，開口２１と相対させる。このように筐体４０には、球発射装置４９，中継基板５０，球貸制御基板５１，球払出制御基板５６，電源装置５４，球払出装置５５等の交換不要部品を固設するとともに、電子表示装置６５を該筐体４０の背板部４０ａに固設する。６８は該電子表示装置６５の隣で筐体４０の背板部４０ａ内面に設けられた電子表示装置６５用の中継基板を示す。
なお、このように筐体４０の背板部４０ａに設ける電子表示装置６５としては、液晶に限らず、７セグ、ドットマトリックス、有機ＥＬ等のパネル状表示装置であればよい。
【００２２】
一方、前面枠７０は、図３、図４に示したように、遊技盤２の前面を覆い得る複層ガラスからなる透明板７１を保持するものであり、下方部の裏側に打球供給装置７２および中継基板ケース７３が設けられ、また、該前面枠７０の前面に球受皿７４が形成され、該前面枠７０の向かって右側下部に打球発射操作用ハンドル（図示せず）を突設してなる周知の構造である。該前面枠７０は向かって左側縁を前記軸受部材４８ａ，４８ｂに軸支することにより、該前面枠７０は前記筐体４０の前面に開閉可能に支持される。そして図示しないが該前面枠７０に向かって右側縁に施錠装置が設けられ、該施錠装置を施錠することにより、該前面枠７０を閉状態に保持できるようにしている。
【００２３】
また、図８に示したように、前記球払出樋５７の球出口５９ａ，５９ｂには開閉シャッタが設けられ、該開閉シャッタを作動させるシャッタ作動片６６が該球出口５９ａ，５９ｂの下辺部に設けられる。また、該球出口５９ａ，５９ｂと相対するように前面枠７０の下方部の裏側に２つの球入口８４ａ，８４ｂが並設され、該球入口８４ａ，８４ｂの下辺部に該前面枠７０を閉じたときに該シャッタ作動片６６を開作動させる係合部６７が形成されている。
【００２４】
前記遊技盤ユニット１は、遊技盤２に設けられた軸受片１７ａ，１７ｂに前記受金具４３ａ，４３ｂの支軸４４ａ，４４ｂを貫挿し、該遊技盤２をクランプ装置４６ａ，４６ｂで押さえることにより筐体４０内の定位置に着脱可能に固定され、前面枠７０を開状態にすることで該遊技機の前面から該遊技盤ユニット１を容易に交換できるようにしている。このように遊技盤ユニット１を固定したときに、前記整流樋１９の下流端が球払出装置５５の流入口５５ａに合致するとともに、係合片５５ｂが開閉シャッタ２０に当接して該開閉シャッタ２０を開作動させ、払出球タンク１８に貯留された遊技球を流入口５５ａから球払出装置５５に流入させる。
【００２５】
また、前面枠７０を閉じることにより、球出口５９ａ，５９ｂが球入口８４ａ，８４ｂに合致するとともに、係合部６７がシャッタ作動片６６を押圧して該球出口５９ａ，５９ｂを開状態にする。このため、球払出装置５５から払い出された遊技球が該球入口８４ａ，８４ｂに入り、球受皿７４に払い出されるようになる。なお、遊技者が打球発射操作用ハンドルを操作したときに、球受皿７４内に溜まっていた遊技球は前記打球供給装置７２を通って一個ずつ前記球発射装置４９に補給され、該球発射装置４９によって前記遊技球誘導レール５に沿って打ち上げられ、遊技盤２前面に前記遊技領域を流下する。
【００２６】
なお、球払出制御基板５６が入った封印ボックス５３は前記主制御基板２５が入った封印ボックス２４の隣に並ぶように位置する。このように封印ボックス２４と封印ボックス５３とを正面視で互いに重なることなく隣接するように配置することで、前面枠７０を開けば、主制御基板２５だけでなく球払出制御基板５６も同時に前面から視認され、該球払出制御基板５６についても改造の有無等の検査をすることが容易になる。
【００２７】
なお、この実施形態では、電子表示装置６５を前面から視認できるように遊技盤２に開口１４を形成したが、遊技盤２の一部または全部を透明な樹脂によって成形した透明なものとした場合には、開口を形成していなくても電子表示装置６５を透視できるようになる。
【００２８】
また、図９に示した本発明に係る他の実施形態は、演出制御基板２７が入った基板ケース２８をケース体３の下方部３ｃの裏面にビス止めしたものであるが、この実施形態のように演出制御基板２７はケース体３の裏側外面に設けてもよい。図９中のその他の構成は図４と同様である。このように配置することで演出制御基板２７をケース体３の裏面側から直接保守点検することが容易になる。
これらの実施形態では、遊技盤２の裏面を覆うケース体３を設けたが、遊技盤２は必ずしもこのようなケース体によって覆わなくても、遊技盤２の下縁より下方に封印ボックス２４を固設し、該封印ボックス２４の後方に演出制御基板２７が設けられるようにすればよい。ただし、ケース体３を設けたことによっては、この実施形態で示した遊技盤ユニット１のように、交換の対象が一纏めにユニット化されるので、リニューアル作業をより簡単に短時間でできるようにする利点がある。
また、前記払出球タンク１８は、必ずしも実施形態に示したように遊技盤ユニット１に設けなくても筐体４０に設けるようにしてもよい。
なお、電子表示装置６５は、必ずしも筐体４０の背板部４０ａの内面に固設しなくてもよく、例えば背板部４０ａに開口を形成し、該背板部４０ａの裏側に電子表示装置６５を固設し、該開口を通して電子表示装置６５が見られるようにしてもよい。ちなみに、筐体４０を実施形態に示したようにボックス形に形成することによっては、該筐体４０の強度が増し、比較的薄手の金属板により成形しても頑強に製作し得る利点がある。
【００２９】
このように本発明に係る弾球遊技機は、遊技場の島台に固設される筐体４０の内側縁に遊技盤２を交換する際にも同時に交換する必要がない球発射装置４９，球払出装置５５，電源装置５４等の交換不要部品を固設し、該筐体４０の背板部４０ａに遊技盤２を通して視認し得る液晶等の板状の電子表示装置６５を固設したので、リニューアルのために遊技盤２を交換するに際しても、これらの交換不要部品および電子表示装置６５は再利用される。このため遊技機をリニューアルするために要するコストが大幅に軽減される。
【００３０】
また、このように電子表示装置６５を筐体４０の背板部４０ａに設けたことで、電子表示装置６５が従来のように遊技盤２に設けていたものと比較して遊技機の奥方に位置するようになるので、遊技者からすると電子表示装置６５を距離を離して見られ、そのために、広い奥行空間が感じられ、該電子表示装置６５に表示される様々な画像がより望ましく効果的に見られるようになる。
また、筐体４０に上記のような交換不要部品や電子表示装置６５の重量が負担されるようになるので、従来の弾球遊技機のようにこれらの重量物を頑強な軸支部により回転可能に軸支する必要がなくなり、頑強な軸支部等を構成するために要していた遊技機の製造コストも軽減される。
【００３１】
さらには、主制御基板２５が収容された封印ボックス２４を遊技盤２の下縁より下方に固設したことで、前面枠７０を開けるだけで該主制御基板２５の検査が容易にできるようになるとともに、該封印ボックス２４の後方に電子表示装置６５の表示を制御する演出制御基板２７を設けたことで、従来の主制御基板２５や演出制御基板２７の厚さに相当する分だけ該電子表示装置６５と遊技盤２の裏面との間隔が広くなる。このため、このスペースに大型の演出装置、或いはキャラクタ等が広範囲に動く演出装置等を設けることが可能となり、遊技機をいっそう魅力的で娯楽性の高いものにすることができる。
【符号の説明】
【００３２】
１…遊技盤ユニット、    ２…遊技盤、    ３…ケース体、    ３ａ…ボス孔、    ３ｃ…下方部、    ３ｄ…ボス、    ４…遊技球受枠、    ５…遊技球誘導レール、    ６…釘、    ７…風車、    ８…入賞口、    ９…通過チャッカー、    １０…始動入賞口、    １１…普通入賞口、    １２…可変入賞口、    １３…アウト球排出口、    １４…開口、    １５…装飾枠体、    １６…演出装置、    １６ａ…円盤状体、    １６ｂ…動物形体、    １７ａ，１７ｂ…軸受片、    １８…払出球タンク、    １８ａ…凹部、    １８ｃ…開口部、    １９…整流樋、    ２０…開閉シャッタ、    ２１…開口、    ２２…組付板、    ２２ａ…枠状部、    ２３…ガイド板、    ２３ａ…蛇行状排出路、    ２３ｂ…下端部、    ２４…封印ボックス、    ２５…主制御基板、    ２６…封止ピン、    ２７…演出制御基板、    ２８…基板ケース、    ３９…木片、    ４０…筺体、    ４０ａ…背板部、    ４１…幕板、    ４２…ネジ脚、    ４３ａ，４３ｂ…受金具、    ４４ａ，４４ｂ…支軸、    ４５ａ，４５ｂ…止片、    ４６ａ，４６ｂ…クランプ装置、    ４７…ガイド片、    ４８ａ，４８ｂ…軸受部材、    ４９…球発射装置、    ５０…サブ中継基板、    ５１…球貸機中継基板、    ５２…板金製箱体、    ５３…封印ボックス、    ５４…電源装置、    ５５…球払出装置、    ５５ａ…流入口、    ５５ｂ…係合片、    ５６…球払出制御基板、    ５７…球払出樋、    ５９ａ，５９ｂ…球出口、    ６０…外部通信用コネクタ、    ６１…電源ボックス、    ６２…リード線収納部材、    ６３ａ，６３ｂ…係合片、    ６４…ガイド部材、    ６５…電子表示装置、    ６６…シャッタ作動片、    ６７…係合部、    ６８…中継基板、    ７０…前面枠、    ７１…透明板、    ７２…打球供給装置、    ７３…中継基板ケース、    ７４…球受皿、    ８４ａ，８４ｂ…球入口
【図１】
2019080885.tif 000003
【図２】
2019080885.tif 000004
【図３】
2019080885.tif 000005
【図４】
2019080885.tif 000006
【図５】
2019080885.tif 000007
【図６】
2019080885.tif 000008
【図７】
2019080885.tif 000009
【図８】
2019080885.tif 000010
【図９】
2019080885.tif 000011